(57)【要約】【課題】複数の検索条件を操作者がより直感的に理解しやすい検索システムを提供する。【解決手段】この検索システムは、録画画像が記憶されるＨＤＤ２４と、録画画像を検索するための検索条件を連想させる図柄からなる衣類アイコン１０６ｂおよび持ち物アイコン２０６ｃと、衣類アイコン１０６ｂが配置されるアイコン配置部位１０６ａと持ち物アイコン２０６ｃが配置されるアイコン配置部位２０６ａとを有する検索キャラクタ６ａとを表示可能な表示画面部２３と、検索キャラクタ６ａのアイコン配置部位１０６ａおよび２０６ａにそれぞれ配置された衣類アイコン１０６ｂおよび持ち物アイコン２０６ｃに基づいて決定されたコンテンツ検索条件に基づいて、ＨＤＤ２４の録画画像を検索するように制御する制御部２１とを備える。【選択図】図１５
2010198426.tif 000002
【特許請求の範囲】
【請求項１】
コンテンツが記憶されるコンテンツ記憶部と、
前記コンテンツを検索するための検索条件を有するとともに、前記検索条件を連想させる図柄からなる複数の検索条件画像アイコンと、前記検索条件画像アイコンが配置される複数のアイコン配置部位を有するキャラクタ画像とを表示可能な表示画面部と、
前記キャラクタ画像の複数のアイコン配置部位にそれぞれ配置された複数の前記検索条件画像アイコンに基づいて決定されたコンテンツ検索条件に基づいて、前記コンテンツ記憶部のコンテンツを検索するように制御する制御部とを備える、検索システム。
【請求項２】
前記複数の検索条件画像アイコンは、第１の種類の検索条件を意味する第１検索条件画像アイコンと、第２の種類の検索条件を意味する第２検索条件画像アイコンとを含み、
前記キャラクタ画像のアイコン配置部位は、前記第１検索条件画像アイコンが配置される第１アイコン配置部位と、前記第２検索条件画像アイコンが配置される第２アイコン配置部位とを含む、請求項１に記載の検索システム。
【請求項３】
前記制御部は、前記コンテンツが前記コンテンツ記憶部に記憶された日時を日時検索条件として前記コンテンツを検索することが可能なように構成されており、
前記キャラクタ画像は、前記日時検索条件の日時の新旧に基づいて、前記キャラクタ画像の色および形態の少なくとも一方が変化するように前記表示画面部に表示されるように構成されている、請求項１または２に記載の検索システム。
【請求項４】
前記検索条件画像アイコンは、前記キャラクタ画像に着せることが可能なように表示される衣類アイコンと、前記キャラクタ画像に持たせることが可能なように表示される持ち物アイコンとを含む、請求項１〜３のいずれか１項に記載の検索システム。
【請求項５】
前記キャラクタ画像のアイコン配置部位に、検索の順番が表示されており、
前記制御部は、前記キャラクタ画像のアイコン配置部位に配置された前記検索条件画像アイコンと前記キャラクタ画像のアイコン配置部位に表示された前記検索の順番とに基づいて決定されたコンテンツ検索条件に基づいて、前記コンテンツ記憶部のコンテンツを検索するように構成されている、請求項１〜４のいずれか１項に記載の検索システム。
【請求項６】
映像コンテンツが記憶される映像コンテンツ記憶部と、
前記映像コンテンツを検索するための検索条件を有するとともに、前記検索条件を連想させる図柄からなる複数の検索条件画像アイコンと、前記検索条件画像アイコンが配置される複数のアイコン配置部位を有するキャラクタ画像とを表示可能な表示画面部と、
前記キャラクタ画像の複数のアイコン配置部位にそれぞれ配置された複数の前記検索条件画像アイコンに基づいて決定されたコンテンツ検索条件に基づいて、前記映像コンテンツ記憶部の映像コンテンツを検索するように制御する制御部とを備える、映像検索システム。
【請求項７】
コンテンツを検索するための検索条件を有するとともに、前記検索条件を連想させる図柄からなる複数の検索条件画像アイコンをキャラクタ画像の複数のアイコン配置部位にそれぞれ配置するステップと、
前記キャラクタ画像の複数のアイコン配置部位にそれぞれ配置された複数の前記検索条件画像アイコンに基づいて決定されるコンテンツ検索条件に基づいて、前記コンテンツを検索するステップとを備える、検索方法。
【発明の詳細な説明】
【技術分野】
【０００１】
この発明は、検索システム、映像検索システムおよび検索方法に関し、特に、コンテンツ検索条件に基づいてコンテンツを検索する検索システム、映像検索システムおよび検索方法に関する。
【背景技術】
【０００２】
従来、コンテンツ検索条件に基づいてコンテンツを検索する検索システム、映像検索システムおよび検索方法が知られている（たとえば、特許文献１〜５参照）。
【０００３】
上記特許文献１には、データベース（コンテンツ記憶部）のデータに関するキーワード（検索条件）を連想させる画像を含むキーワードアイコン（検索条件画像アイコン）に基づいて、データ検索条件（コンテンツ検索条件）を設定するステップと、設定されたデータ検索条件に基づいてデータベースを検索するステップとを備えるデータ検索方法が開示されている。このデータ検索方法のキーワードアイコンは、キーワードアイコン表示領域に配置されており、データ検索条件を設定する際に、操作者はデータ検索条件に必要なキーワードに対応するキーワードアイコンを検索条件設定領域に移動させる。そして、キーワードアイコンを検索条件設定領域に配置した状態で検索を開始させることによって、検索条件設定領域内に配置されたキーワードアイコンに基づいて決定されたデータ検索条件に基づいて、データベースを検索するように構成されている。また、キーワードアイコンは、検索条件設定領域に複数配置することが可能であり、それぞれを離間して配置したり、部分的に重なり合うように配置したりすることによって、データベース検索時のキーワードの組み合わせ方法（論理積または論理和など）が異なるように構成されている。
【０００４】
また、上記特許文献２には、データを記憶するデータベース管理システム（コンテンツ記憶部）と、検索条件を有するアイコンを蓄積するアイコン条件蓄積部と、複数のデータの内容がリストとして表示される画面領域と、アイコンの検索条件を解析する条件解析部（制御部）とを備える情報検索システムが開示されている。この情報検索システムでは、リストが表示されている画面領域に、検索条件を有するアイコンを表示させることによって、アイコンの検索条件に基づいて条件解析部がデータを検索する。そして検索されたデータに関するリストが、画面領域に表示されるように構成されている。また、アイコンは、画面領域に複数配置することが可能であり、条件解析部は、それぞれアイコンの位置関係や、アイコンの色に応じて、検索条件の組み合わせ方法（論理積または論理和など）を異ならせて検索することが可能なように構成されている。また、検索条件を有する複数のアイコンを１つのアイコンにまとめることによって、１つのアイコンに複合検索条件を持たせることが可能なように構成されている。
【０００５】
また、上記特許文献３には、検索条件を有する複数の検索条件付きアイコンと、階層構造型ファイルとが表示される画面と、検索条件付きアイコンの検索条件に基づいて階層構造型ファイルを検索するＣＰＵとを備える検索装置が開示されている。この検索装置では、複数の検索条件付きアイコンにマウス操作が行われることによって、複数の検索条件付きアイコンから構成される複数の検索条件（ファイル検索条件）に基づいて、ＣＰＵにより検索された階層構造型ファイルと、複数の検索条件付きアイコンとが接続線によって結ばれて画面に表示されるように構成されている。
【０００６】
また、上記特許文献４には、組み合わされた複数の検索条件が設定されたアイコンを用いて、検索部によって、ファイル記憶部に記憶されたファイルが検索されるように構成されたファイル管理方法が開示されている。なお、上記特許文献４に記載のファイル管理方法では、アイコンの表示形態に関しては記載されていない。
【０００７】
また、上記特許文献５には、表示画面にファイルを検索するための複数のアイコンが表示されているファイル検索方式が開示されている。このファイル検索方式では、ファイル（文書）のデータ量、ファイルの印刷時のサイズおよびファイルの情報などの複数のファイル属性と、アイコンの色や形状などの表示属性とがそれぞれ対応するように構成されている。また、ファイル検索方式では、操作者によって表示属性を有するアイコンが選択されることによって、処理装置（制御部）によって、選択されたアイコンの表示属性に対応したファイル属性が共通している複数のファイルが検索されるように構成されている。なお、アイコンは、ファイル属性が１つでも違うとアイコンの色や形状などの表示属性が異なる別のアイコンとして表示されるように構成されている。
【先行技術文献】
【特許文献】
【０００８】
【特許文献１】特開平１０−２８９２５１号公報
【特許文献２】特開平７−２１１９９号公報
【特許文献３】特開２００１−３１８９４４号公報
【特許文献４】特許第４１９４３０５号公報
【特許文献５】特開平５−２０４９８７号公報
【発明の概要】
【発明が解決しようとする課題】
【０００９】
しかしながら、上記特許文献１に記載のデータ検索方法では、キーワードアイコンが検索条件設定領域内に自由に配置された状態でも検索を行うことが可能である一方、たとえば、複数のキーワードアイコンが、検索条件設定領域内の対向する隅に互いに離間して配置された場合などでは、検索条件設定領域内に配置された複数のキーワードアイコンから決定されるデータ検索条件を操作者が１つのまとまりとして認識しづらいため、データ検索条件を操作者が直感的に理解しづらいという問題点があると考えられる。
【００１０】
また、上記特許文献２に記載の情報検索システムでは、検索条件を有する複数のアイコンを、複合検索条件を有する１つのアイコンにまとめた状態で画面領域に表示する場合には、複合検索条件を１つのアイコンに表示することになるため、複合検索条件を操作者が直感的に理解しづらいという問題点がある。
【００１１】
また、上記特許文献３の情報検索システムでは、マウス操作が行われた複数の検索条件付きアイコンから構成される複数の検索条件（ファイル検索条件）を操作者が１つのまとまりとして認識しづらいと考えられるため、操作者がファイル検索条件を直感的に理解しづらいという問題点があると考えられる。
【００１２】
また、上記特許文献４のファイル管理方法では、複数の検索条件が設定されたアイコンを１つの図柄として表示する場合には、複数の検索条件を操作者が直感的に理解しづらいという問題点があると考えられる。
【００１３】
また、上記特許文献５のファイル検索方式では、アイコンは、ファイル属性が１つでも違うとアイコンの色や形状などの表示属性が異なる別のアイコンとして表示されるように構成されているため、ファイルの数が増加するのに伴って、アイコンの数も増加しやすいという不都合がある。このため、ファイルの数およびアイコンの数が増加することに起因して、表示属性の似通ったアイコンが増加すると考えられる。したがって、表示属性の似通ったアイコンの間の区別がつきにくくなることに起因して、表示属性に対応するファイル属性を操作者が直感的に理解しづらいという問題点があると考えられる。
【００１４】
この発明は、上記のような課題を解決するためになされたものであり、この発明の１つの目的は、複数の検索条件を操作者がより直感的に理解しやすい検索システム、映像検索システムおよび検索方法を提供することである。
【課題を解決するための手段および発明の効果】
【００１５】
この発明の第１の局面による検索システムは、コンテンツが記憶されるコンテンツ記憶部と、コンテンツを検索するための検索条件を有するとともに、検索条件を連想させる図柄からなる複数の検索条件画像アイコンと、検索条件画像アイコンが配置される複数のアイコン配置部位を有するキャラクタ画像とを表示可能な表示画面部と、キャラクタ画像の複数のアイコン配置部位にそれぞれ配置された複数の検索条件画像アイコンに基づいて決定されたコンテンツ検索条件に基づいて、コンテンツ記憶部のコンテンツを検索するように制御する制御部とを備える。
【００１６】
この第１の局面による検索システムでは、上記のように、キャラクタ画像の複数のアイコン配置部位にそれぞれ配置された検索条件を連想させる図柄からなる複数の検索条件画像アイコンに基づいて、コンテンツ検索条件が決定されることによって、キャラクタ画像を中心に１つのまとまりとして複数の検索条件を操作者に認識させることができるので、操作者に複数の検索条件をより直感的に理解させやすくすることができる。
【００１７】
上記第１の局面による検索システムにおいて、好ましくは、複数の検索条件画像アイコンは、第１の種類の検索条件を意味する第１検索条件画像アイコンと、第２の種類の検索条件を意味する第２検索条件画像アイコンとを含み、キャラクタ画像のアイコン配置部位は、第１検索条件画像アイコンが配置される第１アイコン配置部位と、第２検索条件画像アイコンが配置される第２アイコン配置部位とを含む。このように構成すれば、第１の種類の検索条件を意味する第１検索条件画像アイコンが第１アイコン配置部位に配置されるとともに、第２の種類の検索条件を意味する第２検索条件画像アイコンが第２アイコン配置部位に配置されることによって、異なる検索条件をそれぞれ異なる部位に配置するように構成することができるので、操作者に複数の検索条件をより効果的に直感的に理解させやすくすることができる。
【００１８】
上記第１の局面による検索システムにおいて、好ましくは、制御部は、コンテンツがコンテンツ記憶部に記憶された日時を日時検索条件としてコンテンツを検索することが可能なように構成されており、キャラクタ画像は、日時検索条件の日時の新旧に基づいて、キャラクタ画像の色および形態の少なくとも一方が変化するように表示画面部に表示されるように構成されている。このように構成すれば、キャラクタ画像を日時検索条件の日時の新旧に基づいて視覚的に異なった表現により表示することができるので、操作者に複数の検索条件だけでなく日時検索条件も直感的に理解させやすくすることができる。
【００１９】
上記第１の局面による検索システムにおいて、好ましくは、検索条件画像アイコンは、キャラクタ画像に着せることが可能なように表示される衣類アイコンと、キャラクタ画像に持たせることが可能なように表示される持ち物アイコンとを含む。このように構成すれば、キャラクタ画像を擬人化することによって、キャラクタ画像に、より感覚的に検索条件画像アイコンを配置することができるので、操作者に容易にコンテンツ検索条件を選択させることができる。
【００２０】
上記第１の局面による検索システムにおいて、好ましくは、キャラクタ画像のアイコン配置部位に、検索の順番が表示されており、制御部は、キャラクタ画像のアイコン配置部位に配置された検索条件画像アイコンとキャラクタ画像のアイコン配置部位に表示された検索の順番とに基づいて決定されたコンテンツ検索条件に基づいて、コンテンツ記憶部のコンテンツを検索するように構成されている。このように構成すれば、キャラクタ画像のアイコン配置部位に配置された検索条件画像アイコンの検索条件間に検索の順番（優先順位）をつけることができるので、操作者により細かなコンテンツ検索条件を設定させることができる。
【００２１】
この発明の第２の局面による映像検索システムは、映像コンテンツが記憶される映像コンテンツ記憶部と、映像コンテンツを検索するための検索条件を有するとともに、検索条件を連想させる図柄からなる複数の検索条件画像アイコンと、検索条件画像アイコンが配置される複数のアイコン配置部位を有するキャラクタ画像とを表示可能な表示画面部と、キャラクタ画像の複数のアイコン配置部位にそれぞれ配置された複数の検索条件画像アイコンに基づいて決定されたコンテンツ検索条件に基づいて、映像コンテンツ記憶部の映像コンテンツを検索するように制御する制御部とを備える。
【００２２】
この第２の局面による映像検索システムでは、上記のように、キャラクタ画像の複数のアイコン配置部位にそれぞれ配置された検索条件を連想させる図柄からなる複数の検索条件画像アイコンに基づいて、コンテンツ検索条件が決定されることによって、キャラクタ画像を中心に１つのまとまりとして複数の検索条件を操作者に認識させることができるので、操作者に複数の検索条件をより直感的に理解させやすくすることができる。
【００２３】
この発明の第３の局面による検索方法は、コンテンツを検索するための検索条件を有するとともに、検索条件を連想させる図柄からなる複数の検索条件画像アイコンをキャラクタ画像の複数のアイコン配置部位にそれぞれ配置するステップと、キャラクタ画像の複数のアイコン配置部位にそれぞれ配置された複数の検索条件画像アイコンに基づいて決定されるコンテンツ検索条件に基づいて、コンテンツを検索するステップとを備える。
【００２４】
この第３の局面による検索方法では、上記のように、キャラクタ画像の複数のアイコン配置部位にそれぞれ配置された検索条件を連想させる図柄からなる複数の検索条件画像アイコンに基づいて決定されるコンテンツ検索条件に基づいて、コンテンツを検索するステップを備えることによって、キャラクタ画像を中心に１つのまとまりとして複数の検索条件を操作者に認識させることができるので、操作者に複数の検索条件をより直感的に理解させやすくすることができる。
【図面の簡単な説明】
【００２５】
【図１】本発明の第１実施形態による映像装置の全体構成を示した図である。
【図２】図１に示した映像装置のリモートコントローラの構成を示すブロック図である。
【図３】図１に示した映像装置の液晶テレビジョンの構成を示すブロック図である。
【図４】図１に示した映像装置のコンテンツ検索方法を説明するための制御フローである。
【図５】図１に示した映像装置のコンテンツ検索方法を説明するための図である。
【図６】図１に示した映像装置のコンテンツ検索方法を説明するための図である。
【図７】図１に示した映像装置のコンテンツ検索方法を説明するための図である。
【図８】図１に示した映像装置のコンテンツ検索方法を説明するための図である。
【図９】図１に示した映像装置のコンテンツ検索方法を説明するための図である。
【図１０】図１に示した映像装置のコンテンツ検索方法を説明するための図である。
【図１１】図１に示した映像装置のコンテンツ検索方法を説明するための図である。
【図１２】図１に示した映像装置のコンテンツ検索方法を説明するための図である。
【図１３】図１に示した映像装置のコンテンツ検索方法を説明するための図である。
【図１４】図１に示した映像装置のコンテンツ検索条件の設定を説明するための制御フローである。
【図１５】図１に示した映像装置のコンテンツ検索方法を説明するための図である。
【図１６】図１に示した映像装置のコンテンツ検索方法を説明するための図である。
【図１７】図１に示した映像装置のコンテンツ検索方法を説明するための図である。
【図１８】図１に示した映像装置のコンテンツ検索方法を説明するための図である。
【図１９】本発明の第２実施形態による液晶テレビジョンのコンテンツ検索方法を説明するための図である。
【図２０】本発明の第２実施形態による液晶テレビジョンのコンテンツ検索方法を説明するための図である。
【図２１】本発明の第２実施形態による液晶テレビジョンのコンテンツ検索方法を説明するための図である。
【図２２】本発明の第２実施形態による液晶テレビジョンのコンテンツ検索方法を説明するための図である。
【図２３】本発明の第２実施形態による液晶テレビジョンのコンテンツ検索方法を説明するための図である。
【発明を実施するための形態】
【００２６】
以下、本発明を具体化した実施形態を図面に基づいて説明する。
【００２７】
（第１実施形態）
まず、図１〜図３、図５、図６および図１８を参照して、本発明の第１実施形態による映像装置１００の構成について説明する。
【００２８】
本発明の第１実施形態による映像装置１００は、図１に示すように、リモートコントローラ１と、液晶テレビジョン２とを備える。
【００２９】
また、リモートコントローラ１は、図２に示すように、決定ボタン１０ａと、コンテンツ表示ボタン１０ｂと、運動検出部１１と、制御部１２と、記憶部１３と、制御信号生成部１４と、赤外線送信部１５とを含んでいる。また、運動検出部１１は、リモートコントローラ１の上下左右の移動を検出する機能を有する。
【００３０】
また、制御部１２は、決定ボタン１０ａが押下されたと判断した際には、液晶テレビジョン２の後述する表示画面部２３に表示されているカーソル５（図５参照）が位置しているものを選択決定するような操作信号を生成するように構成されている。また、制御部１２は、コンテンツ表示ボタン１０ｂが押下されたと判断した際には、液晶テレビジョン２の表示画面部２３に表示されているコンテンツ表示画面３（図１参照）から後述するコンテンツ選択画面４（図５参照）に切り替わるような操作信号を生成するように構成されている。
【００３１】
また、制御部１２は、リモートコントローラ１が上下左右に移動されたと判断した際には、液晶テレビジョン２の表示画面部２３に表示されているカーソル５を、リモートコントローラ１の上下左右の移動と連動するように表示画面部２３で上下左右に移動させるような操作信号を生成するように構成されている。また、制御部１２は、決定ボタン１０ａが押下された状態で、リモートコントローラ１が上下左右に移動されたと判断した際には、液晶テレビジョン２の表示画面部２３のカーソル５が位置しているものとカーソル５とを同時に上下左右に移動させるとともに、決定ボタン１０ａの押下が解除されたと判断した際には、カーソル５が位置しているものの上下左右の移動が解除される（ドラックアンドドロップ）ような操作信号を生成するように構成されている。
【００３２】
また、制御信号生成部１４は、制御部１２から出力された操作信号に対応する制御信号を生成して赤外線送信部１５に出力する機能を有する。また、赤外線送信部１５は、赤外線通信によって、制御信号生成部１４から出力された制御信号を外部に向けて発信する機能を有する。
【００３３】
また、液晶テレビジョン２は、図３に示すように、赤外線受信部２０と、制御部２１と、記憶部２２と、表示画面部２３と、ＨＤＤ（Ｈａｒｄ  Ｄｉｓｋ  Ｄｒｉｖｅ）２４と、テレビジョン放送とテレビジョン放送のジャンルおよび内容に関する情報とを受信するためのテレビジョン放送受信部２５と、メモリカード２０００を挿入可能なスロット２６とを含む。また、赤外線受信部２０は、リモートコントローラ１の赤外線送信部１５から発信された制御信号を受信するとともに、制御部２１に制御信号を出力する機能を有する。
【００３４】
また、制御部２１は、赤外線受信部２０から出力された制御信号を処理して、制御信号に対応する制御を行うように構成されている。なお、具体的な制御については後述する。また、記憶部２２には、予め制御信号に関する処理情報が記憶されており、制御部２１によって、制御信号に関する処理情報が読み出されるように構成されている。また、記憶部２２は、後述するコンテンツ検索条件が設定されている設定済み検索キャラクタ７ａ（図１８参照）と、設定済み検索キャラクタ７ａが設定された日時とを記憶する機能を有する。また、表示画面部２３は、コンテンツ表示画面３（図１参照）と、コンテンツ選択画面４（図５参照）と、コンテンツ検索画面６（図６参照）と、設定済み検索キャラクタ画面７（図１８参照）とを表示可能なように構成されている。
【００３５】
また、ＨＤＤ２４には、映像からなる複数の録画画像と、複数の録画画像がそれぞれ録画された日時と、複数の録画画像に関するそれぞれの録画画像のジャンルおよび内容の情報とが記憶されている。この録画画像のジャンルおよび内容の情報は、テレビジョン放送受信部２５において受信されるテレビジョン放送のジャンルおよび内容に関する情報に含まれており、録画画像が検索される際に用いられる。また、メモリカード２０００には、図示しないデジタルカメラによって撮影された複数の静止画像と、複数の静止画像がそれぞれ撮影された日時と、複数の静止画像に関するそれぞれの静止画像のジャンルおよび内容の情報とが記憶されている。この静止画像のジャンルおよび内容の情報は、予め図示しない登録手段によってメモリカード２０００に記憶されており、静止画像が検索される際に用いられる。また、記憶されている複数の録画画像および静止画像は、それぞれ、制御部２１によって、表示画面部２３に表示されるように構成されている。なお、録画画像および静止画像は、それぞれ、本発明の「コンテンツ」の一例であり、ＨＤＤ２４およびメモリカード２０００は、本発明の「コンテンツ記憶部」および「映像コンテンツ記憶部」の一例である。
【００３６】
また、第１実施形態では、制御部２１と、ＨＤＤ２４およびメモリカード２０００と、表示画面部２３とによって、本発明の「検索システム」および「映像検索システム」が構成されている。
【００３７】
次に、図１および図３〜図１８を参照して、本発明の第１実施形態による映像装置１００のコンテンツ検索方法について説明する。
【００３８】
まず、図１に示すように、表示画面部２３には、コンテンツ表示画面３にコンテンツ画像３ａが表示されている。ここで、図４に示すステップＳ１において、制御部２１（図３参照）は、操作者（図示せず）によって、リモートコントローラ１のコンテンツ表示ボタン１０ｂが押下されたという操作信号に対応する制御信号を赤外線受信部２０が受信したか否かを判断する。そして、ステップＳ１において、制御部２１が、操作者によってコンテンツ表示ボタン１０ｂが押下されたと判断した場合には、ステップＳ２に進み、制御部２１は、図５に示すように、表示画面部２３に表示されたコンテンツ表示画面３をコンテンツ選択画面４に切り替えるように制御する。さらに、制御部２１は、コンテンツ選択画面４に録画画像および静止画像を選択決定するための後述するコンテンツアイコン４ａをすべて表示可能なようにする。そして、ステップＳ３に進む。また、ステップＳ１において、制御部２１が、操作者によってコンテンツ表示ボタン１０ｂが押下されていないと判断した場合には、制御部２１は、操作者によってコンテンツ表示ボタン１０ｂが押下されたと判断するまでステップＳ１の処理を繰り返す。
【００３９】
また、コンテンツ選択画面４には、ＨＤＤ２４またはメモリカード２０００にそれぞれ記憶されている録画画像および静止画像を選択決定するためのコンテンツアイコン４ａと、それぞれの録画画像および静止画像が録画または撮影された日時に関する日時表示４ｂと、カーソル５とが表示されている。また、コンテンツ選択画面４のＸ１方向の隅には、Ｘ１方向にスクロールさせるためのスクロールボタン４ｃが表示されているとともに、コンテンツ選択画面４のＸ２方向の隅には、Ｘ２方向にスクロールさせるためのスクロールボタン４ｄが表示されている。このコンテンツ選択画面４をスクロールさせることによって、現在コンテンツ選択画面４に表示されているコンテンツアイコン４ａおよび日時表示４ｂの一部が表示されなくなるとともに、新たなコンテンツアイコン４ａおよび日時表示４ｂがコンテンツ選択画面４に表示されるように構成されている。
【００４０】
また、コンテンツ選択画面４の下部（Ｚ２方向）のＸ１方向には、表示されているコンテンツアイコン４ａのコンテンツのジャンルおよび内容またはコンテンツ検索条件が表示される検索条件表示領域４ｅが表示されている。なお、第１実施形態においては、検索条件表示領域４ｅには、「ＨＤＤ  すべて表示」と表示されている。また、コンテンツ選択画面４の下部のＸ２方向には、「検索」と表示されたコンテンツ検索ボタン４ｆが表示されている。
【００４１】
また、第１実施形態では、図４に示すステップＳ３において、制御部２１は、操作者によってコンテンツ検索ボタン４ｆが選択決定されたか否かを判断する。そして、ステップＳ３において、制御部２１が、操作者によってコンテンツ検索ボタン４ｆが選択決定されたと判断した場合には、ステップＳ４に進み、図６に示すように、制御部２１は、表示画面部２３に表示されたコンテンツ選択画面４をコンテンツ検索画面６に切り替えるように制御する。そして、ステップＳ５のコンテンツ検索条件の設定の制御フローに進む。また、ステップＳ３において、制御部２１が、操作者によってコンテンツ検索ボタン４ｆが選択決定されていないと判断した場合には、ステップＳ１１に進む。
【００４２】
また、図６に示すように、コンテンツ検索画面６のＸ１方向には、検索キャラクタ６ａが表示されている。この検索キャラクタ６ａは、人型の形状を有し、濃い色（図６では間隔の小さい斜線（ハッチング）で表示）を有するように表示されている。また、コンテンツ検索画面６のＸ２方向の上部（Ｚ１方向）には、衣類アイコン表示領域６ｂが表示されているとともに、コンテンツ検索画面６のＸ２方向の中央部には、持ち物アイコン表示領域６ｃが表示されている。なお、検索キャラクタ６ａは、本発明の「キャラクタ画像」の一例である。
【００４３】
また、衣類アイコン表示領域６ｂには、衣類アイコン１０６ｂおよび２０６ｂが表示されているとともに、持ち物アイコン表示領域６ｃには、持ち物アイコン１０６ｃおよび２０６ｃが表示されている。なお、衣類アイコン１０６ｂおよび２０６ｂは、それぞれ、本発明の「第１検索条件画像アイコン」および「検索条件画像アイコン」の一例であり、持ち物アイコン１０６ｃおよび２０６ｃは、それぞれ、本発明の「第２検索条件画像アイコン」および「検索条件画像アイコン」の一例である。
【００４４】
また、衣類アイコン１０６ｂおよび２０６ｂには、それぞれ、台形形状の枠の中に、録画画像および静止画像のジャンルに関する検索条件を意味する図柄が表示されている。これにより、衣類アイコン１０６ｂおよび２０６ｂは、検索キャラクタ６ａに着せることが可能なようにコンテンツ検索画面６に表示されるように構成されている。なお、第１実施形態では、衣類アイコン１０６ｂに表示されている図柄は、サッカーボールであり、録画画像および静止画像のジャンルとしてスポーツという検索条件を意味するとともに、操作者に「スポーツ関係」という検索条件を連想させるように表示されている。また、衣類アイコン２０６ｂに表示されている図柄は、ハートマークであり、録画画像および静止画像のジャンルとしてドラマという検索条件を意味するとともに、操作者に「ドラマ関係」という検索条件を連想させるように表示されている。なお、スポーツやドラマなどのジャンルに関する検索条件は、本発明の「第１の種類の検索条件」の一例である。
【００４５】
また、持ち物アイコン１０６ｃおよび２０６ｃには、それぞれ、手提げバッグ状の枠の中に、録画画像および静止画像の内容に関する検索条件を意味する図柄が表示されている。これにより、持ち物アイコン１０６ｃおよび２０６ｃは、検索キャラクタ６ａに持たせることが可能なようにコンテンツ検索画面６に表示されるように構成されている。なお、第１実施形態では、持ち物アイコン１０６ｃに表示されている図柄は、テレビジョンであり、録画画像および静止画像の内容としてテレビ局が製作した番組という検索条件を意味するとともに、操作者にテレビジョンという検索条件を連想させるように表示されている。また、持ち物アイコン２０６ｃに表示されている図柄は、映画フィルムであり、録画画像および静止画像の内容として映画という検索条件を意味するとともに、操作者に映画という検索条件を連想させるように表示されている。なお、内容に関する検索条件は、本発明の「第２の種類の検索条件」の一例である。
【００４６】
また、衣類アイコン表示領域６ｂの上部（Ｚ１方向）のＸ１方向の隅には、Ｘ１方向にスクロールさせるためのスクロールボタン３０６ｂが表示されているとともに、衣類アイコン表示領域６ｂの上部のＸ２方向の隅には、Ｘ２方向にスクロールさせるためのスクロールボタン４０６ｂが表示されている。この衣類アイコン表示領域６ｂをスクロールさせることによって、現在衣類アイコン表示領域６ｂ表示されている衣類アイコンの一部が表示されなくなるとともに、新たな衣類アイコンが衣類アイコン表示領域６ｂに表示されるように構成されている。
【００４７】
また、持ち物アイコン表示領域６ｃの上部（Ｚ１方向）のＸ１方向の隅には、Ｘ１方向にスクロールさせるためのスクロールボタン３０６ｃが表示されているとともに、持ち物アイコン表示領域６ｃの上部のＸ２方向の隅には、Ｘ２方向にスクロールさせるためのスクロールボタン４０６ｃが表示されている。このスクロールボタン３０６ｂおよび４０６ｂを用いて持ち物アイコン表示領域６ｃをスクロールさせることによって、現在持ち物アイコン表示領域６ｃ表示されている持ち物アイコンの一部が表示されなくなるとともに、新たな持ち物アイコンが持ち物アイコン表示領域６ｃに表示されるように構成されている。
【００４８】
たとえば、持ち物アイコン表示領域６ｃに、持ち物アイコン１０６ｃおよび２０６ｃが表示されている状態から、図７に示すように、スクロールボタン３０６ｃが選択決定されることによって、持ち物アイコン表示領域６ｃには、Ｘ１側に表示されていた持ち物アイコン１０６ｃが表示されなくなるとともに、新たな持ち物アイコン５０６ｃが、Ｘ２側に表示されるように構成されている。ここで、持ち物アイコン５０６ｃに表示されている図柄は、カメラであり、録画画像および静止画像の内容としてカメラによって撮影された静止画像という検索条件を意味するとともに、操作者にカメラによって撮影された静止画像という検索条件を連想させるように表示されている。なお、持ち物アイコン５０６ｃは、本発明の「第２検索条件画像アイコン」および「検索条件画像アイコン」の一例である。
【００４９】
ここで、第１実施形態では、図６に示すように、人型の検索キャラクタ６ａには、検索キャラクタ６ａの胴体部分に位置するアイコン配置部位１０６ａと、検索キャラクタ６ａのＸ２側の腕部分に位置するアイコン配置部位２０６ａと、検索キャラクタ６ａのＸ１側の腕部分に位置するアイコン配置部位３０６ａとが設けられている。なお、アイコン配置部位１０６ａは、本発明の「第１アイコン配置部位」の一例であり、アイコン配置部位２０６ａおよび３０６ａは、それぞれ、本発明の「第２アイコン配置部位」の一例である。
【００５０】
また、検索キャラクタ６ａは、アイコン配置部位１０６ａにおいて、衣類アイコン１０６ｂおよび２０６ｂを着せた状態で表示可能なように構成されており、アイコン配置部位１０６ａに着せられた衣類アイコン１０６ｂまたは２０６ｂが有する検索条件に基づいて、検索対象の録画画像および静止画像のジャンルが決定されるように構成されている。また、検索キャラクタ６ａは、アイコン配置部位２０６ａおよび３０６ａにおいて、持ち物アイコン１０６ｃおよび２０６ｃを持たせた状態で表示可能なように構成されており、アイコン配置部位２０６ａおよび３０６ａに持たせられた持ち物アイコン１０６ｃまたは２０６ｃが有する検索条件に基づいて、検索対象の録画画像および静止画像の内容が決定されるように構成されている。
【００５１】
また、図８に示すように、衣類アイコン１０６ｂおよび２０６ｂと、持ち物アイコン１０６ｃおよび２０６ｃとは、それぞれ、カーソル５により選択決定された状態で移動（ドラックアンドドロップ）されるように構成されている。これにより、図９に示すように、衣類アイコン１０６ｂは、検索キャラクタ６ａのアイコン配置部位１０６ａに取り付けられることが可能なように構成されている。また、図１０に示すように、持ち物アイコン１０６ｃを検索キャラクタ６ａのアイコン配置部位１０６ａに取り付けられようとした場合には、持ち物アイコン１０６ｃはアイコン配置部位１０６ａに取り付けられずに、図６に示す持ち物アイコン表示領域６ｃの持ち物アイコン１０６ｃが配置していた位置に戻されるように構成されている。
【００５２】
また、図６に示すように、コンテンツ検索画面６の下部（Ｚ２方向）のＸ２側には、日時検索条件選択領域６ｄが設けられている。この日時検索条件選択領域６ｄには、チェックボタンとともに、「今週」と表示された日時検索条件１０６ｄと、「１週間前」と表示された日時検索条件２０６ｄと、「２週間以上前」と表示された日時検索条件３０６ｄとが表示されている。そして、日時検索条件１０６ｄ〜３０６ｄのいずれかのチェックボタンを選択することにより、操作者は日時検索条件１０６ｄ〜３０６ｄを設定することが可能なように構成されている。
【００５３】
なお、日時検索条件１０６ｄは、現在（コンテンツ検索条件設定時）から遡って１週間前までの期間に録画されたＨＤＤ２４（図３参照）の録画画像または撮影されたメモリカード２０００の静止画像という検索条件を意味する。また、日時検索条件２０６ｄは、現在から遡って２週間前から１週間前までの期間に録画されたＨＤＤ２４の録画画像または撮影されたメモリカード２０００の静止画像という検索条件を意味する。また、日時検索条件３０６ｄは、現在から遡って２週間前よりも昔に録画されたＨＤＤ２４の録画画像または撮影されたメモリカード２０００の静止画像という検索条件を意味する。
【００５４】
また、第１実施形態では、１週間前までの日時検索条件１０６ｄが選択決定されることによって、図１１に示すように、日時検索条件１０６ｄがチェック表示されるように構成されている。また、２週間前から１週間前までの日時検索条件２０６ｄが選択決定されることによって、図１２に示すように、日時検索条件２０６ｄがチェック表示されるとともに、コンテンツ検索画面６の検索キャラクタ６ａの色が図１１に示す日時検索条件１０６ｄの場合よりも薄くなる（図１２では図１１に比べて間隔の大きい斜線（ハッチング）で表示）ように変化するように構成されている。また、２週間前よりも昔の日時検索条件３０６ｄが選択決定されることによって、図１３に示すように、日時検索条件３０６ｄがチェック表示されるとともに、コンテンツ検索画面６の検索キャラクタ６ａの輪郭のみが実線で表示される状態（白抜き表示）に変化するように構成されている。すなわち、制御部２１は、検索キャラクタ６ａを、日時検索条件１０６ｄ〜３０６ｄの日時の新旧に基づいて色を変化させてコンテンツ検索画面６に表示するように構成されている。
【００５５】
ここで、第１実施形態では、図１４に示すコンテンツ検索条件の設定の制御フローのステップＳ５ａにおいて、制御部２１は、衣類アイコン１０６ｂおよび２０６ｂと、持ち物アイコン１０６ｃおよび２０６ｃとのいずれかが検索キャラクタ６ａのアイコン配置部位１０６ａ、２０６ａおよび３０６ａにドラックアンドドロップによって配置されたか否かを判断する。そして、ステップＳ５ａにおいて、制御部２１が衣類アイコン１０６ｂおよび２０６ｂと、持ち物アイコン１０６ｃおよび２０６ｃとのいずれかがアイコン配置部位１０６ａ、２０６ａおよび３０６ａに配置されたと判断した場合には、ステップＳ５ｂに進む。また、制御部２１が衣類アイコン１０６ｂおよび２０６ｂと、持ち物アイコン１０６ｃおよび２０６ｃとのいずれもアイコン配置部位１０６ａ、２０６ａおよび３０６ａに配置されていないと判断した場合には、ステップＳ５ｅに進む。
【００５６】
また、ステップＳ５ｂにおいて、制御部２１は、ドラックアンドドロップされた衣類アイコン１０６ｂまたは２０６ｂがアイコン配置部位１０６ａに配置された、または、ドラックアンドドロップされた持ち物アイコン１０６ｃまたは２０６ｃがアイコン配置部位２０６ａおよび３０６ａのいずれかに配置されたか否かを判断する。そして、ステップＳ５ｂにおいて、制御部２１が衣類アイコン１０６ｂまたは２０６ｂがアイコン配置部位１０６ａに配置されたと判断した場合には、ステップＳ５ｃに進み、図９に示すように、制御部２１は、コンテンツ検索画面６の検索キャラクタ６ａに、ドラックアンドドロップされた衣類アイコン１０６ｂまたは２０６ｂをアイコン配置部位１０６ａに着せるように表示する。そして、ステップＳ５ｅに進む。同様に、図１４に示すステップＳ５ｂにおいて、制御部２１が持ち物アイコン１０６ｃまたは２０６ｃがアイコン配置部位２０６ａおよび３０６ａのいずれかに配置されたと判断した場合には、ステップＳ５ｃに進み、制御部２１は、コンテンツ検索画面６の検索キャラクタ６ａに、ドラックアンドドロップされた持ち物アイコン１０６ｃまたは２０６ｃをアイコン配置部位２０６ａおよび３０６ａのいずれかに持たれるように表示する。そして、ステップＳ５ｅに進む。
【００５７】
一方、ステップＳ５ｂにおいて、制御部２１が、ドラックアンドドロップされた衣類アイコン１０６ｂまたは２０６ｂがアイコン配置部位２０６ａおよび３０６ａのいずれかに配置されたと判断した場合には、ステップＳ５ｄに進み、制御部２１は、ドラックアンドドロップされた衣類アイコン１０６ｂまたは２０６ｂをコンテンツ検索画面６の検索キャラクタ６ａに配置せずに、衣類アイコン表示領域６ｂに再表示する。そして、ステップＳ５ｅに進む。同様に、ステップＳ５ｂにおいて、制御部２１が、ドラックアンドドロップされた持ち物アイコン１０６ｃまたは２０６ｃがアイコン配置部位１０６ａに配置されたと判断した場合には、ステップＳ５ｄに進み、制御部２１は、ドラックアンドドロップされた持ち物アイコン１０６ｃまたは２０６ｃをコンテンツ検索画面６の検索キャラクタ６ａに配置せずに、持ち物アイコン表示領域６ｃに再表示する。そして、ステップＳ５ｅに進む。
【００５８】
次に、ステップＳ５ｅにおいて、制御部２１は、コンテンツ検索画面６の日時検索条件選択領域６ｄの日時検索条件１０６ｄ、２０６ｄおよび３０６ｄのうちいずれかが選択決定されたか否かを判断する。そして、ステップＳ５ｅにおいて、制御部２１が日時検索条件１０６ｄ、２０６ｄおよび３０６ｄのうちいずれかが選択決定されたと判断した場合には、ステップＳ５ｆに進み、コンテンツ検索画面６の検索キャラクタ６ａの色を選択決定された日時検索条件１０６ｄ、２０６ｄおよび３０６ｄに基づいて表示する。そして、コンテンツ検索条件の設定の制御フローが終了し、図４に示すステップＳ６に進む。また、ステップＳ５ｅにおいて、制御部２１が日時検索条件１０６ｄ、２０６ｄおよび３０６ｄのいずれも選択決定されていないと判断した場合には、コンテンツ検索条件の設定の制御フローが終了し、図４に示すステップＳ６に進む。
【００５９】
また、図１５に示すように、コンテンツ検索画面６の検索キャラクタ６ａの頭部（口部）付近には、検索キャラクタ６ａが「検索開始」と言っているように、「検索開始」という文字およびその文字を取り囲む線画が表示されることによって、制御部２１において検索を開始するための検索条件決定アイコン６ｅが表示されている。ここで、図１４に示すコンテンツ検索条件の設定の制御フローによって図１５に示す検索キャラクタ６ａが製作された状態で、図４に示すステップＳ６において、制御部２１は、操作者（図示せず）によってコンテンツ検索画面６の検索条件決定アイコン６ｅが選択決定されたか否かを判断する。
【００６０】
そして、ステップＳ６において、制御部２１が検索条件決定アイコン６ｅが選択決定されたと判断した場合には、ステップＳ７に進み、制御部２１は、検索キャラクタ６ａのアイコン配置部位１０６ａに取り付けられた検索条件（衣類アイコン１０６ｂおよび持ち物アイコン１０６ｃ）に基づいて、コンテンツ検索条件を決定するとともに、コンテンツ検索条件に基づいて、ＨＤＤ２４（図３参照）またはメモリカード２０００に記憶されている録画画像および静止画像を検索する。そして、ステップＳ８に進む。また、ステップＳ６において、制御部２１が検索条件決定アイコン６ｅが選択決定されていないと判断した場合には、図１４に示すコンテンツ検索条件の設定の制御フローであるステップＳ５に戻る。
【００６１】
次に、ステップＳ８において、制御部２１は、コンテンツ検索条件を満たす録画画像または静止画像がＨＤＤ２４またはメモリカード２０００に存在するか否かを判断する。この際、制御部２１は、ＨＤＤ２４に記憶されている録画画像のジャンルおよび内容の情報またはメモリカード２０００に記憶されている静止画像のジャンルおよび内容の情報に基づいて判断する。そして、ステップＳ８において、制御部２１がコンテンツ検索条件を満たす録画画像または静止画像がＨＤＤ２４またはメモリカード２０００に存在すると判断した場合には、ステップＳ９に進み、図１６に示すように、制御部２１は、表示画面部２３にコンテンツ選択画面４を表示するとともに、コンテンツ選択画面４において、コンテンツ検索条件に該当した録画画像または静止画像に対応するコンテンツアイコン４ａおよび日時表示４ｂと、コンテンツ検索条件（ＨＤＤ  ジャンル：スポーツ  内容：映画  日時：今週）が表示された検索条件表示領域４ｅとを表示する。そして、ステップＳ３に戻る。
【００６２】
また、ステップＳ８において、制御部２１がコンテンツ検索条件を満たす録画画像または静止画像がＨＤＤ２４またはメモリカード２０００に存在しないと判断した場合には、ステップＳ１０に進み、図１７に示すように、制御部２１は、表示画面部２３にコンテンツ選択画面４を表示するとともに、コンテンツ選択画面４において、コンテンツ検索条件（ＨＤＤ  ジャンル：スポーツ  内容：映画  日時：今週）が表示された検索条件表示領域４ｅと、コンテンツ選択画面４の中央部にコンテンツ検索条件を満たすコンテンツがない旨が表示されたメッセージ領域４ｇとを表示する。そして、ステップＳ２に戻る。
【００６３】
また、ステップＳ３において制御部２１が操作者によってコンテンツ検索ボタン４ｆが選択決定されていないと判断して、ステップＳ１１に進んだ場合において、制御部２１は、コンテンツ選択画面４の複数のコンテンツアイコン４ａのうちのいずれかが選択決定されたか否かを判断する。そして、ステップＳ１１において、制御部２１がコンテンツアイコン４ａのいずれかが選択決定されたと判断した場合には、ステップＳ１２に進み、制御部２１は、表示画面部２３にコンテンツ表示画面３を表示するとともに、選択決定されたコンテンツアイコン４ａに対応するＨＤＤ２４またはメモリカード２０００に記憶されている録画画像および静止画像をコンテンツ画像３ａとして表示する。そして、映像装置１００のコンテンツ検索が終了される。また、ステップＳ１１において、制御部２１がコンテンツアイコン４ａのいずれも選択決定されていないと判断した場合には、ステップＳ３に戻る。
【００６４】
また、図１５に示すように、コンテンツ検索画面６の下部（Ｚ２方向）の中央部には、「保存」と表示された記憶ボタン６ｆが表示されているとともに、コンテンツ検索画面６の下部のＸ１側には、「読出」と表示された呼び出しボタン６ｇが表示されている。この記憶ボタン６ｆが操作者によって選択決定されることによって、制御部２１は、コンテンツ検索条件が設定された検索キャラクタ６ａをコンテンツ検索条件を有する設定済み検索キャラクタ７ａとして記憶部２２（図３参照）に記憶させるように構成されている。
【００６５】
また、操作者によって呼び出しボタン６ｇが選択決定されることによって、図１８に示すように、制御部２１は、表示画面部２３に表示されたコンテンツ検索画面６を設定済み検索キャラクタ画面７に切り替えるように構成されている。この設定済み検索キャラクタ画面７には、記憶部２２に記憶されている一対の設定済み検索キャラクタ７ａと、設定済み検索キャラクタ画面７のＸ１方向の隅に表示され、Ｘ１方向にスクロールさせるためのスクロールボタン７ｂと、設定済み検索キャラクタ画面７のＸ２方向の隅に表示され、Ｘ２方向にスクロールさせるためのスクロールボタン７ｃとが表示されている。また、設定済み検索キャラクタ画面７をスクロールさせることによって、現在設定済み検索キャラクタ画面７に表示されている設定済み検索キャラクタ７ａの一部が表示されなくなるとともに、新たな設定済み検索キャラクタ７ａが設定済み検索キャラクタ画面７に表示されるように構成されている。
【００６６】
また、操作者によって設定済み検索キャラクタ７ａが選択決定されることによって、制御部２１は、表示画面部２３に表示された設定済み検索キャラクタ画面７をコンテンツ選択画面４に切り替えるように構成されている。この際、制御部２１は、コンテンツ選択画面４において、設定済み検索キャラクタ７ａが有するコンテンツ検索条件に該当したコンテンツアイコン４ａおよび日時表示４ｂと、表示されているコンテンツアイコン４ａの内容として、設定済み検索キャラクタ７ａが有するコンテンツ検索条件が表示された検索条件表示領域４ｅとを表示するように構成されている。このように、コンテンツ検索条件が設定された検索キャラクタ６ａを記憶部２２に記憶させた後に、コンテンツ検索条件を有する設定済み検索キャラクタ７ａとして読み出すように構成することによって、操作者は、一度設定したコンテンツ検索条件と同一のコンテンツ検索条件での検索を容易に行うことが可能である。
【００６７】
また、制御部２１は、設定済み検索キャラクタ画面７において、設定済み検索キャラクタ７ａの設定時に選択決定された日時検索条件１０６ｄ〜３０６ｄ（図６、図１１〜図１３参照）と、設定済み検索キャラクタ７ａの設定された日時と、呼び出しボタン６ｇが選択決定された日時とに基づいて、設定済み検索キャラクタ７ａの表示を変更するように構成されている。たとえば、設定済み検索キャラクタ７ａの設定時に選択決定された日時検索条件が「１週間前」（日時検索条件２０６ｄが選択）であり、設定済み検索キャラクタ７ａは呼び出しボタン６ｇが選択決定された日時よりも１週間前に設定された場合には、制御部２１は、設定済み検索キャラクタ７ａが「２週間以上前」の日時検索条件を有していると判断し、設定済み検索キャラクタ７ａを白抜き表示の状態として表示するように構成されている。
【００６８】
第１実施形態では、上記のように、検索キャラクタ６ａのアイコン配置部位１０６ａに配置され、ジャンルを意味する検索条件を連想させる図柄からなる衣類アイコン１０６ｂおよび２０６ｂと、検索キャラクタ６ａのアイコン配置部位２０６ａおよび３０６ａに配置され、内容を意味する検索条件を連想させる図柄からなる持ち物アイコン１０６ｃおよび２０６ｃとに基づいて、コンテンツ検索条件が決定されることによって、検索キャラクタ６ａを中心に１つのまとまりとして複数の検索条件を操作者に認識させることができるので、操作者に複数の検索条件をより直感的に理解させやすくすることができる。
【００６９】
また、第１実施形態では、上記のように、ジャンルを意味する検索条件を連想させる図柄からなる衣類アイコン１０６ｂおよび２０６ｂが検索キャラクタ６ａのアイコン配置部位１０６ａに配置されるとともに、内容を意味する検索条件を連想させる図柄からなる持ち物アイコン１０６ｃおよび２０６ｃが検索キャラクタ６ａのアイコン配置部位２０６ａおよび３０６ａに配置されることによって、異なる検索条件をそれぞれ異なる部位に配置するように構成することができるので、操作者に複数の検索条件をより効果的に直感的に理解させやすくすることができる。
【００７０】
また、第１実施形態では、上記のように、検索条件を連想させる図柄からなる衣類アイコン１０６ｂおよび２０６ｂと、検索条件を連想させる図柄からなる持ち物アイコン１０６ｃおよび２０６ｃと、衣類アイコン１０６ｂおよび２０６ｂが配置されるアイコン配置部位１０６ａと持ち物アイコン１０６ｃおよび２０６ｃが配置されるアイコン配置部位２０６ａおよび３０６ａとを有する検索キャラクタ６ａとが表示部画面部２２に表示されることによって、図柄から連想される検索条件を検索キャラクタ６ａに配置してコンテンツ検索条件を決定することができるので、文字入力をする必要がない。これにより、録画画像および静止画像を検索する際の手間を少なくすることができる。
【００７１】
また、第１実施形態では、上記のように、制御部２１を、検索キャラクタ６ａが日時検索条件１０６ｄ〜３０６ｄの日時の新旧に基づいて色が変化されるようにコンテンツ検索画面６に表示するように構成することによって、検索キャラクタ６ａを日時検索条件１０６ｄ〜３０６ｄの日時の新旧に基づいて視覚的に異なった表現により表示することができるので、操作者に複数の検索条件だけでなく日時検索条件１０６ｄ〜３０６ｄも直感的に理解させやすくすることができる。
【００７２】
また、第１実施形態では、上記のように、衣類アイコン１０６ｂおよび２０６ｂを、検索キャラクタ６ａに着せることが可能なようにコンテンツ検索画面６に表示するとともに、持ち物アイコン１０６ｃ、２０６ｃおよび５０６ｃを、検索キャラクタ６ａに持たせることが可能なようにコンテンツ検索画面６に表示するように構成することによって、検索キャラクタ６ａを擬人化することにより、検索キャラクタ６ａに、より感覚的に衣類アイコン１０６ｂおよび２０６ｂと持ち物アイコン１０６ｃ、２０６ｃおよび５０６ｃとを配置することができるので、操作者に容易にコンテンツ検索条件を選択させることができる。
【００７３】
（第２実施形態）
次に、図１９〜図２３を参照して、第２実施形態について説明する。この第２実施形態による映像装置では、上記第１実施形態と異なり、液晶テレビジョン２のコンテンツ検索画面１００６の検索キャラクタ１００６ａのアイコン配置部位１１０６ａ、１２０６ａおよび１３０６ａに、それぞれ、検索の順番が表示されているとともに、日時検索条件１０６ｄ〜３０６ｄの日時の新旧に基づいて、検索キャラクタ１００６ａの形態が変化する場合について説明する。
【００７４】
本発明の第２実施形態による液晶テレビジョン２のコンテンツ検索画面１００６のＸ１側には、図１９に示すように、人型の形状を有し、実線で囲まれた白抜き表示の状態で表示されている検索キャラクタ１００６ａが表示されている。また、検索キャラクタ１００６ａの胴体部分に位置するアイコン配置部位１１０６ａと、検索キャラクタ１００６ａのＸ２側の腕部分に位置するアイコン配置部位１２０６ａと、検索キャラクタ１００６ａのＸ１側の腕部分に位置するアイコン配置部位１３０６ａとには、それぞれ、アイコン配置部位１１０６ａ、１２０６ａおよび１３０６ａの順に、検索の順番が表示されている。なお、検索キャラクタ１００６ａは、本発明の「キャラクタ画像」の一例である。
【００７５】
また、制御部２１は、まず、アイコン配置部位１１０６ａに取り付けられた後述する検索アイコン１１０６ｈ〜１６０６ｈの検索条件に基づいて検索する。その後、アイコン配置部位１２０６ａに取り付けられた検索アイコン１１０６ｈ〜１６０６ｈの検索条件に基づいて検索し、最後にアイコン配置部位１３０６ａに取り付けられた検索アイコン１１０６ｈ〜１６０６ｈの検索条件に基づいて検索するように構成されている。
【００７６】
また、コンテンツ検索画面１００６のＸ２側には、検索アイコン表示領域１００６ｈが表示されている。この検索アイコン表示領域１００６ｈには、枠が設けられていない６つの検索アイコン１１０６ｈ〜１６０６ｈが表示されている。なお、検索アイコン１１０６ｈ〜１６０６ｈは、それぞれ、本発明の「検索条件画像アイコン」の一例である。
【００７７】
また、検索アイコン１１０６ｈは、サッカーボールの図柄からなり、録画画像および静止画像のジャンルとしてスポーツという検索条件を意味するとともに、操作者に「スポーツ関係」という検索条件を連想させるように表示されている。また、検索アイコン１２０６ｈは、ハートマークの図柄からなり、録画画像および静止画像のジャンルとしてドラマという検索条件を意味するとともに、操作者に「ドラマ関係」という検索条件を連想させるように表示されている。
【００７８】
また、検索アイコン１３０６ｈは、テレビジョンの図柄からなり、録画画像および静止画像の内容としてテレビ局が製作した番組という検索条件を意味するとともに、操作者にテレビジョンという検索条件を連想させるように表示されている。また、検索アイコン１４０６ｈは、映画フィルムの図柄からなり、録画画像および静止画像の内容として映画という検索条件を意味するとともに、操作者に映画という検索条件を連想させるように表示されている。
【００７９】
また、検索アイコン１５０６ｈは、サッカーゴールの図柄からなり、録画画像および静止画像の内容として得点場面という検索条件を意味するとともに、操作者に得点場面という検索条件を連想させるように表示されている。また、検索アイコン１６０６ｈは、カメラの図柄からなり、録画画像および静止画像の内容としてカメラによって撮影された静止画像という検索条件を意味するとともに、操作者にカメラによって撮影された静止画像という検索条件を連想させるように表示されている。
【００８０】
また、検索アイコン表示領域１００６ｈのＸ１方向の隅には、Ｘ１方向にスクロールさせるためのスクロールボタン１７０６ｈが表示されているとともに、持ち物アイコン表示領域６ｃのＸ２方向の隅には、Ｘ２方向にスクロールさせるためのスクロールボタン１８０６ｈが表示されている。このスクロールボタン１７０６ｈおよび１８０６ｈを用いて検索アイコン表示領域１００６ｈをスクロールさせることによって、現在検索アイコン表示領域１００６ｈが表示されている検索アイコンの一部が表示されなくなるとともに、新たな検索アイコンが検索アイコン表示領域１００６ｈに表示されるように構成されている。
【００８１】
また、第２実施形態では、図２０に示すように、検索アイコン１１０６ｈは、カーソル５により選択決定された状態で移動（ドラックアンドドロップ）されるように構成されている。これにより、図２１に示すように、検索アイコン１１０６ｈは、検索キャラクタ１００６ａのアイコン配置部位１１０６ａに取り付けられることが可能なように構成されている。また、検索アイコン１１０６ｈがアイコン配置部位１１０６ａに取り付けられる際には、検索アイコン１１０６ｈは変形して、台形形状の枠を有する衣類アイコンとしてアイコン配置部位１１０６ａに着せられたように表示されるように構成されている。
【００８２】
同様に、検索アイコン１２０６ｈ〜１６０６ｈは、それぞれ、選択決定された状態で移動（ドラックアンドドロップ）されるように構成されている。これにより、検索アイコン１２０６ｈ〜１６０６ｈは、それぞれ、検索キャラクタ１００６ａのアイコン配置部位１１０６ａ、１２０６ａおよび１３０６ａのいずれかに取り付けられることが可能なように構成されている。また、検索アイコン１２０６ｈ〜１６０６ｈがアイコン配置部位１１０６ａに取り付けられる際には、検索アイコン１２０６ｈ〜１６０６ｈはそれぞれ変形して、台形形状の枠を有する衣類アイコンとして検索キャラクタ１００６ａのアイコン配置部位１１０６ａに着せた状態で表示されるとともに、検索アイコン１２０６ｈ〜１６０６ｈがアイコン配置部位１２０６ａまたは１３０６ａに取り付けられる際には、検索アイコン１２０６ｈ〜１６０６ｈはそれぞれ変形して、手提げバッグ状の枠を有する持ち物アイコン（第１実施形態の図１５参照）として検索キャラクタ１００６ａのアイコン配置部位１２０６ａまたは１３０６ａに持たせた状態で表示されるように構成されている。
【００８３】
なお、第１実施形態と異なり、検索アイコン１１０６ｈ〜１６０６ｈは、それぞれ、検索キャラクタ１００６ａのアイコン配置部位１１０６ａ、１２０６ａおよび１３０６ａのいずれの位置にも取り付けられることが可能なように構成されている。
【００８４】
また、第２実施形態では、制御部２１は、日時検索条件１０６ｄ〜３０６ｄの日時の新旧に基づいて、検索キャラクタ１００６ａの形態を変化させるように表示画面部２３に表示するように構成されている。具体的には、図１９および図２０に示すように、１週間前までの日時検索条件１０６ｄが選択決定されることによって、日時検索条件１０６ｄがチェック表示されるとともに、検索キャラクタ１００６ａは、実線で囲まれた白抜き表示の状態のままで変化しないように構成されている。また、２週間前から１週間前までの日時検索条件２０６ｄが選択決定されることによって、図２２に示すように、日時検索条件２０６ｄがチェック表示されるとともに、検索キャラクタ１００６ａは、破線で囲まれた白抜き表示の状態に変化するように構成されている。また、２週間前よりも昔の日時検索条件３０６ｄが選択決定されることによって、図２３に示すように、日時検索条件３０６ｄがチェック表示されるとともに、検索キャラクタ１００６ａは、図２２に示す日時検索条件２０６ｄの場合よりも隙間の大きい破線で囲まれた白抜き表示の状態に変化するように構成されている。なお、第２実施形態のその他の構造およびコンテンツ検索方法は、上記第１実施形態と同様である。
【００８５】
第２実施形態では、上記のように、制御部２１を、日時検索条件１０６ｄ〜３０６ｄの日時の新旧に基づいて、検索キャラクタ１００６ａの形態を変化させるように表示画面部２３に表示するように構成することによって、検索キャラクタ１００６ａを日時検索条件１０６ｄ〜３０６ｄの日時の新旧に基づいて視覚的に異なった表現により表示することができるので、操作者に日時検索条件１０６ｄ〜３０６ｄを直感的に理解させやすくすることができる。
【００８６】
また、第２実施形態では、上記のように、検索キャラクタ１００６ａの胴体部分に位置するアイコン配置部位１１０６ａと、検索キャラクタ１００６ａのＸ２方向の腕部分に位置するアイコン配置部位１２０６ａと、検索キャラクタ１００６ａのＸ１方向の腕部分に位置するアイコン配置部位１３０６ａとに、それぞれ、アイコン配置部位１１０６ａ、１２０６ａおよび１３０６ａの順に、検索の順番を表示するように構成することによって、検索キャラクタ１００６ａのアイコン配置部位１１０６ａ、１２０６ａおよび１３０６ａに配置された検索アイコン１１０６ｈ〜１６０６ｈの検索条件間に検索の順番（優先順位）をつけることができるので、操作者により細かなコンテンツ検索条件を設定させることができる。なお、第２実施形態のその他の効果は、上記第１実施形態と同様である。
【００８７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８８】
たとえば、上記第１および第２実施形態では、映像装置に本発明を適用した例を示したが、本発明はこれに限らず、たとえば、コンテンツ記憶部と表示画面部と制御部とを備えた検索システムおよび映像検索システムであれば、映像装置に限らず、ＰＣ（パーソナルコンピュータ）などにも本発明を適用することが可能である。
【００８９】
また、上記第１および第２実施形態では、本発明の「検索条件画像アイコン」が、録画画像および静止画像のジャンルを意味する検索アイコン（衣類アイコン）と、録画画像および静止画像の内容を意味する検索条件検索アイコン（衣類アイコン）とからなる例を示したが、本発明はこれに限らず、検索条件画像アイコンは、録画画像および静止画像のジャンルまたは内容以外の検索条件を意味する検索アイコンを含んでいてもよい。
【００９０】
また、上記第１および第２実施形態では、コンテンツ検索画面の検索キャラクタの３つのアイコン配置部位（検索キャラクタの胴部および両腕部）に取り付ける検索アイコンとして、着せるまたは持たせるように表示される検索アイコン（衣類アイコンまたは持ち物アイコン）を用いた例を示したが、本発明はこれに限らず、コンテンツ検索画面の検索キャラクタに取り付ける検索アイコンとして、その他の検索アイコンを用いてもよい。たとえば、検索キャラクタの脚部（アイコン配置部位）に履かせる（着せる）ように表示される靴の図柄を有する検索アイコンを用いてもよいし、検索キャラクタの頭部（アイコン配置部位）に被らせる（着せる）ように表示される帽子の図柄を有する検索アイコンを用いてもよい。なお、検索キャラクタのアイコン配置部位は、２つまたは４つ以上あるように構成してもよい。
【００９１】
また、上記第１および第２実施形態では、コンテンツ検索画面の検索アイコン（衣類アイコンまたは持ち物アイコン）の図柄として、サッカーボール、ハートマーク、テレビジョン、映画フィルム、サッカーゴール（第２実施形態のみ）およびカメラの５つまたは６つの図柄を用いるとともに、それぞれの上記図柄に、録画画像および静止画像のジャンルまたは内容に関する検索条件を意味させるように構成した例を示したが、本発明はこれに限らず、検索アイコンの図柄は上記図柄に限定されず、それぞれ異なる検索条件を意味させた他の図柄を用いてもよい。また、検索アイコンの図柄の数は、５つまたは６つに限定されず、複数個であればよい。また、検索アイコンは、操作者によって図柄と図柄から連想される検索条件とが定められることによって、任意に形成されるように構成されてもよい。
【００９２】
また、上記第１および第２実施形態では、本発明の「コンテンツ」として、複数の録画画像および静止画像を対象とした例を示したが、本発明はこれに限らず、検索可能なコンテンツであれば、複数の録画画像および静止画像以外のコンテンツでもよい。たとえば、「コンテンツ」として、ＰＣにおけるファイル検索などを対象にしてもよい。
【００９３】
また、上記第１および第２実施形態では、設定済み検索キャラクタ画面において、設定済み検索キャラクタの設定時に選択決定された日時検索条件と、設定済み検索キャラクタの設定された日時と、呼び出しボタンが選択決定された日時とに基づいて、設定済み検索キャラクタの表示が変更されるように構成した例を示したが、本発明はこれに限らず、設定済み検索キャラクタ画面において、設定済み検索キャラクタの表示が変更されるように構成しなくてもよい。たとえば、設定済み検索キャラクタ画面において、設定済み検索キャラクタの設定時に選択決定された日時検索条件のみに基づいて、設定済み検索キャラクタの表示を、設定済み検索キャラクタの設定された日時における検索キャラクタと同様の表示となるように構成してもよい。
【００９４】
また、上記第１および第２実施形態では、コンテンツ検索画面の検索キャラクタとして人型の形状を有するように表示した例を示したが、本発明はこれに限らず、検索キャラクタは、たとえば、犬や猫などの動物の形状や、樹木のような植物の形状を有していてもよい。この際、検索キャラクタが犬や猫の場合には、検索アイコンとして首輪や犬猫用の洋服などを用いることが可能であるとともに、検索キャラクタが樹木の場合には、検索アイコンとして実や花などを用いることが可能である。
【００９５】
また、上記第１実施形態では、コンテンツ検索画面の検索キャラクタのアイコン配置部位を検索条件のジャンルまたは内容を意味するように構成し、検索キャラクタ自体に検索条件を意味させないように構成した例を示したとともに、上記第２実施形態では、コンテンツ検索画面の検索キャラクタのアイコン配置部位を検索の順番を意味するように構成し、検索キャラクタ自体に検索条件を意味させないように構成した例を示したが、本発明はこれに限らず、コンテンツ検索画面の検索キャラクタ自体に検索条件を意味させるように構成してもよい。たとえば、検索キャラクタが人型であれば、人間に関する検索条件を意味し、検索キャラクタが動物であれば、動物に関する検索条件を意味し、検索キャラクタが植物であれば、植物（ガーデニングなど）に関する検索条件を意味するように構成してもよい。このように構成することによって、検索キャラクタの形状に基づいた検索条件を操作者に直感的に理解させやすくすることが可能であるとともに、コンテンツ検索条件を決定するための検索条件を増加させることが可能である。
【符号の説明】
【００９６】
６ａ、１００６ａ  検索キャラクタ（キャラクタ画像）
２１  制御部
２２  表示画面部
２４  ＨＤＤ（コンテンツ記憶部、映像コンテンツ記憶部）
１０６ａ  アイコン配置部位（第１アイコン配置部位）
１０６ｂ、２０６ｂ  衣類アイコン（第１検索条件画像アイコン、検索条件画像アイコン）
１０６ｃ、２０６ｃ、５０６ｃ  持ち物アイコン（第２検索条件画像アイコン、検索条件画像アイコン）
１０６ｄ、２０６ｄ、３０６ｄ  日時検索条件
２０６ａ、３０６ａ  アイコン配置部位（第２アイコン配置部位）
１１０６ａ、１２０６ａ、１３０６ａ  アイコン配置部位
１１０６ｈ、１２０６ｈ、１３０６ｈ、１４０６ｈ、１５０６ｈ、１６０６ｈ  検索アイコン（検索条件画像アイコン）
２０００  メモリカード（コンテンツ記憶部、映像コンテンツ記憶部）
【図１】
2010198426.tif 000003
【図２】
2010198426.tif 000004
【図３】
2010198426.tif 000005
【図４】
2010198426.tif 000006
【図５】
2010198426.tif 000007
【図６】
2010198426.tif 000008
【図７】
2010198426.tif 000009
【図８】
2010198426.tif 000010
【図９】
2010198426.tif 000011
【図１０】
2010198426.tif 000012
【図１１】
2010198426.tif 000013
【図１２】
2010198426.tif 000014
【図１３】
2010198426.tif 000015
【図１４】
2010198426.tif 000016
【図１５】
2010198426.tif 000017
【図１６】
2010198426.tif 000018
【図１７】
2010198426.tif 000019
【図１８】
2010198426.tif 000020
【図１９】
2010198426.tif 000021
【図２０】
2010198426.tif 000022
【図２１】
2010198426.tif 000023
【図２２】
2010198426.tif 000024
【図２３】
2010198426.tif 000025